(57)【要約】【課題】ユーザに高品質な映像を提供可能であり、かつ、映像のデータ転送レートを低減可能な映像表示装置を提供する。【解決手段】映像表示装置は、視線位置決定部と、表示領域決定部と、映像品質決定部と、送信部と、受信部と、映像生成部と、映像表示部とを具備する。上記表示領域決定部は、表示面を、上記視線位置決定部によって決定される上記視線位置を包含する第１表示領域と、上記第１表示領域の外側に配置される第２表示領域とを含む複数の表示領域に区分する。上記映像品質決定部は、上記表示領域決定部によって区分される上記複数の表示領域に表示する映像の品質を、上記第２表示領域のデータ転送レートが上記第１表示領域のデータ転送レートより低くなるように、それぞれ決定する。上記映像表示部は、上記受信部によって受信される上記映像データから上記映像生成部によって生成される映像を上記表示面に表示する。【選択図】図５
2015222470.tif 000002
【特許請求の範囲】
【請求項１】
ユーザに提供する映像を表示面に表示する映像表示装置であって、
前記ユーザの視線の向きを検出可能に構成される視線検出装置による検出結果に基づき、前記表示面における前記ユーザの視線位置を決定する視線位置決定部と、
前記表示面を、前記視線位置決定部によって決定される前記視線位置を包含する第１表示領域と、前記第１表示領域の外側に配置される第２表示領域とを含む複数の表示領域に区分する表示領域決定部と、
前記表示領域決定部によって区分される前記複数の表示領域に表示する映像の品質を、前記第２表示領域のデータ転送レートが前記第１表示領域のデータ転送レートより低くなるように、それぞれ決定する映像品質決定部と、
情報処理装置に対して、前記映像品質決定部によって決定される前記品質の映像を前記複数の表示領域にそれぞれ表示するための映像データの転送要求を送信する送信部と、
前記情報処理装置によって転送される前記映像データを受信する受信部と、
前記受信部によって受信される前記映像データから、前記表示面に表示される映像を生成する映像生成部と、
前記映像生成部によって生成される映像を前記表示面に表示する映像表示部と
を具備する映像表示装置。
【請求項２】
請求項１に記載の映像表示装置であって、
前記表示領域決定部は、前記ユーザと前記表示面と間の距離に基づき、前記表示面を前記複数の表示領域に区分する
映像表示装置。
【請求項３】
請求項２に記載の映像表示装置であって、
前記表示領域決定部は、前記距離が近いほど、前記第１表示領域を小さくする
映像表示装置。
【請求項４】
請求項２に記載の映像表示装置であって、
前記距離を検出する距離検出部を更に具備する
映像表示装置。
【請求項５】
請求項１に記載の映像表示装置であって、
前記映像品質決定部は、前記複数の表示領域に表示する映像の解像度とフレームレートとのうちの少なくとも一方を決定する
映像表示装置。
【請求項６】
請求項１に記載の映像表示装置であって、
前記表示領域決定部は、前記表示面を、前記第１表示領域の外側に層状に配置される複数の第２表示領域を含む前記複数の表示領域に区分可能に構成され、
前記映像品質決定部は、前記複数の第２表示領域に表示する映像の前記品質を、前記第１表示領域から遠い前記複数の第２表示領域ほどデータ転送レートが低くなるように、それぞれ決定可能に構成される
映像表示装置。
【請求項７】
請求項１に記載の映像表示装置であって、
前記表示面における前記視線位置の移動方向を決定する移動方向決定部を更に具備し、
前記表示領域決定部は、前記移動方向決定部によって決定される前記移動方向に向けて前記第１表示領域を拡大する
映像表示装置。
【請求項８】
請求項１に記載の映像表示装置であって、
前記視線位置決定部は複数のユーザの前記視線位置を決定可能に構成され、
前記表示領域決定部は、前記複数のユーザにおけるそれぞれの前記第１表示領域の和集合として前記第１表示領域を決定する
映像表示装置。
【請求項９】
請求項１に記載の映像表示装置であって、
前記複数の表示領域は、前記表示面における位置、及び表示する映像の前記品質が前記視線位置によって変化しない第３表示領域を更に含む
映像表示装置。
【請求項１０】
請求項９に記載の映像表示装置であって、
前記映像表示部は、前記第３表示領域に文字情報を表示する
映像表示装置。
【請求項１１】
請求項１に記載の映像表示装置であって、
前記視線検出装置として構成される視線検出部を更に具備する
映像表示装置。
【請求項１２】
ユーザに提供する映像を表示面に表示する映像表示装置と通信可能に構成される情報処理装置であって、
前記映像表示装置によって送信される転送要求を受信する受信部と、
前記受信部によって受信される前記転送要求に応じて、複数の表示領域に区分される前記表示面に、前記複数の表示領域に対してそれぞれ決定される品質の映像を表示するための映像データを生成する映像データ生成部と、
前記映像データ生成部によって生成される前記映像データを前記映像表示装置に転送する送信部と
を具備する情報処理装置。
【請求項１３】
請求項１２に記載の情報処理装置であって、
前記ユーザの視線の向きを検出可能に構成される視線検出装置による検出結果に基づき、前記表示面における前記ユーザの視線位置を決定する視線位置決定部と、
前記表示面を、前記視線位置決定部によって決定される前記視線位置を包含する第１表示領域と、前記第１表示領域の外側に配置される第２表示領域とを含む前記複数の表示領域に区分する表示領域決定部と、
前記表示領域決定部によって区分される前記複数の表示領域に表示する映像の前記品質を、前記第２表示領域のデータ転送レートが前記第１表示領域のデータ転送レートより低くなるように、それぞれ決定する映像品質決定部と
を更に具備する情報処理装置。
【請求項１４】
ユーザに提供する映像を表示面に表示する映像表示装置と、前記映像表示装置と通信可能に構成される情報処理装置とを具備し、
前記映像表示装置は、
前記ユーザの視線の向きを検出可能に構成される視線検出装置による検出結果に基づき、前記表示面における前記ユーザの視線位置を決定する視線位置決定部と、
前記表示面を、前記視線位置決定部によって決定される前記視線位置を包含する第１表示領域と、前記第１表示領域の外側に配置される第２表示領域とを含む複数の表示領域に区分する表示領域決定部と、
前記表示領域決定部によって区分される前記複数の表示領域に表示する映像の品質を、前記第２表示領域のデータ転送レートが前記第１表示領域のデータ転送レートより低くなるように、それぞれ決定する映像品質決定部と、
前記情報処理装置に対して、前記映像品質決定部によって決定される前記品質の映像を前記複数の表示領域にそれぞれ表示するための映像データの転送要求を送信する第１送信部と、
前記情報処理装置によって転送される前記映像データを受信する第１受信部と、
前記第１受信部によって受信される前記映像データから、前記表示面に表示される映像を生成する映像生成部と、
前記映像生成部によって生成される映像を前記表示面に表示する映像表示部とを有し、
前記情報処理装置は、
前記第１送信部によって送信される転送要求を受信する第２受信部と、
前記第２受信部によって受信される前記転送要求に応じて、前記映像データを生成する映像データ生成部と、
前記映像データ生成部によって生成される前記映像データを前記映像表示装置に転送する第２送信部とを有する
映像表示システム。
【発明の詳細な説明】
【技術分野】
【０００１】
本技術は、通信により転送される映像を表示する映像表示装置、情報処理装置、及び映像表示システムに関する。
【背景技術】
【０００２】
近年、ユーザの要求に応じて映像を配信可能なサービスが普及してきている。これにより、ユーザは、視聴したい映像をいつでも視聴可能となる。
【０００３】
この一方で、映像技術の進歩により、映像の高品質化が進んでいる。具体的に、現在、４ＫＳＨＤ（Ｓｕｐｅｒ  Ｈｉｇｈ  Ｄｅｆｉｎｉｔｉｏｎ）（以下、単に「４Ｋ」とも呼ぶ。）や８ＫＵＨＤ（Ｕｌｔｒａ  Ｈｉｇｈ  Ｄｅｆｉｎｉｔｉｏｎ）（以下、単に「８Ｋ」とも呼ぶ。）と呼ばれる非常に高品質の映像が利用可能になってきている。
【０００４】
したがって、今日では、より高品質の映像を配信可能なサービスが求められている。しかしながら、高品質の映像はデータ転送レートが高くなる。例えば、４Ｋの映像のデータ転送レートは２００Ｍｂｐｓ程度となり、８Ｋの映像のデータ転送レートは８００Ｍｂｐｓ程度となる。
【０００５】
これに対し、例えば、家庭向け光回線の通信速度の実効値は１００Ｍｂｐｓ以下程度である。このように、現在における一般的な通信による通信速度は、４Ｋや８Ｋの映像のデータ転送レートに及ばない。このため、現在における一般的な通信では、上記のような高品質の映像を配信することが困難である。
【０００６】
高品質の映像の配信を可能にするために、ユーザに提供する映像の品質を損なうことなく、映像のデータ転送レートを低減可能な技術の実現が望まれる。特許文献１には、表示面に高品質の映像を表示可能であり、かつ、映像のデータ転送レートを低減可能な映像表示装置が開示されている。
【０００７】
特許文献１に記載の映像表示装置では、映像を表示する表示面が、異なる解像度の映像を表示する複数の表示領域に区分される。この映像表示装置は、表示面の中央領域に高解像度の映像が表示され、表示面の外側領域に低解像度の映像が表示されるように構成されている。
【０００８】
特許文献１に記載の映像表示装置では、ユーザの視線が向きやすい表示面の中央領域において、ユーザに高品質の映像を提供することができる。一方、この映像表示装置では、ユーザの視線が向きにくい表示面の外側領域に表示する映像を低解像度とすることにより、表示面に表示する映像のデータ転送レートが低減される。
【先行技術文献】
【特許文献】
【０００９】
【特許文献１】特開平５−１０８０３６号公報
【発明の概要】
【発明が解決しようとする課題】
【００１０】
一般的に、映像表示装置によって表示面に表示される映像において、ユーザが視線を向ける対象（映像中の人や物や景色など）の位置は刻一刻と変化する。
【００１１】
特許文献１に記載の映像表示装置においても、表示面に表示される映像を見るユーザは、表示面の中央領域だけではなく、表示面の外側領域にも視線を向ける。ユーザは、表示面の外側領域に視線を向けるときに、表示面の外側領域に表示される低解像度の映像を認識することとなる。
【００１２】
このように、特許文献１に記載の映像表示装置では、ユーザが視線を向ける表示面内の位置によって、ユーザが認識する映像の品質が変化する。つまり、この映像表示装置では、ユーザが常には高品質の映像を認識することができない点において、ユーザに対して高品質の映像を提供することができていないと言える。
【００１３】
以上のような事情に鑑み、本技術の目的は、ユーザに高品質な映像を提供可能であり、かつ、映像のデータ転送レートを低減可能な映像表示装置、情報処理装置、及び映像表示システムを提供することにある。
【課題を解決するための手段】
【００１４】
上記目的を達成するため、本技術の一形態に係る映像表示装置は、視線位置決定部と、表示領域決定部と、映像品質決定部と、送信部と、受信部と、映像生成部と、映像表示部とを具備する。
上記映像表示装置は、ユーザに提供する映像を表示面に表示する。
上記視線位置決定部は、上記ユーザの視線の向きを検出可能に構成される視線検出装置による検出結果に基づき、上記表示面における上記ユーザの視線位置を決定する。
上記表示領域決定部は、上記表示面を、上記視線位置決定部によって決定される上記視線位置を包含する第１表示領域と、上記第１表示領域の外側に配置される第２表示領域とを含む複数の表示領域に区分する。
上記映像品質決定部は、上記表示領域決定部によって区分される上記複数の表示領域に表示する映像の品質を、上記第２表示領域のデータ転送レートが上記第１表示領域のデータ転送レートより低くなるように、それぞれ決定する。
上記送信部は、情報処理装置に対して、上記映像品質決定部によって決定される上記品質の映像を上記複数の表示領域にそれぞれ表示するための映像データの転送要求を送信する。
上記受信部は、上記情報処理装置によって転送される上記映像データを受信する。
上記映像生成部は、上記受信部によって受信される上記映像データから、上記表示面に表示される映像を生成する。
上記映像表示部は、上記映像生成部によって生成される映像を上記表示面に表示する。
【００１５】
上記映像表示装置では、ユーザの情報識別性が高い第１表示領域に常に高品質の映像が表示され、ユーザの情報識別性が第１表示領域よりも低い第２表示領域に第１表示領域よりも低品質の映像が表示される。
上記映像表示装置では、第２表示領域に低品質の映像を表示することにより、表示面に表示される映像のデータ転送レートが低減される。また、ユーザは第２表示領域における映像の品質低下を認識しにくいため、ユーザは常に高品質の映像を認識することになる。
したがって、上記映像表示装置では、ユーザが認識する映像の品質を損なうことなく、表示面に表示する映像のデータ転送レートを低減することができる。
【００１６】
上記表示領域決定部は、上記ユーザと上記表示面と間の距離に基づき、上記表示面を上記複数の表示領域に区分してもよい。
上記表示領域決定部は、上記距離が近いほど、上記第１表示領域を小さくしてもよい。
上記映像表示装置は、上記距離を検出する距離検出部を更に具備してもよい。
この構成では、表示面を複数の表示領域に区分する際に、ユーザと表示面との間の距離が考慮される。ユーザと表示面との間の距離によって、ユーザの視野全体に占める表示面の大きさが変化するため、ユーザの情報識別性が高い第１表示領域をはじめとする各表示領域の大きさも変化する。この構成では、ユーザと表示面との間の距離に応じて各表示領域の大きさを変化させることにより、ユーザと表示面との間の距離によらずユーザに対して高品質の映像を提供することが可能となる。
【００１７】
上記映像品質決定部は、上記複数の表示領域に表示する映像の解像度とフレームレートとのうちの少なくとも一方を決定してもよい。
この構成では、複数の表示領域における解像度やフレームレートを変化させることにより、表示面に表示する映像のデータ転送レートを低減することができる。
【００１８】
上記表示領域決定部は、上記表示面を、上記第１表示領域の外側に層状に配置される複数の第２表示領域を含む上記複数の表示領域に区分可能に構成されていてもよい。
上記映像品質決定部は、上記複数の第２表示領域に表示する映像の上記品質を、上記第１表示領域から遠い上記複数の第２表示領域ほどデータ転送レートが低くなるように、それぞれ決定可能に構成されていてもよい。
この構成では、ユーザの視線位置から遠い表示領域ほど低品質の映像が表示される。これにより、表示面に表示する映像のデータ転送レートを更に低減することが可能である。また、ユーザは視線位置から遠い表示領域ほど映像の品質低下を認識しにくくなるため、この構成でもユーザは常に高品質の映像を認識することができる。
【００１９】
上記映像表示装置は、上記表示面における上記視線位置の移動方向を決定する移動方向決定部を更に具備してもよい。
上記表示領域決定部は、上記移動方向決定部によって決定される上記移動方向に向けて上記第１表示領域を拡大してもよい。
この構成では、ユーザの情報識別性が高い第１表示領域が、ユーザの視線位置の移動方向に拡大される。つまり、ユーザの視線位置の移動先を予測して、この予測に基づいて第１表示領域を拡大させる。これにより、第１表示領域の変更が、ユーザの視線位置の移動に対して遅れることを防止することができる。
【００２０】
上記視線位置決定部は複数のユーザの上記視線位置を決定可能に構成されていてもよい。
上記表示領域決定部は、上記複数のユーザにおけるそれぞれの上記第１表示領域の和集合として上記第１表示領域を決定してもよい。
この構成では、複数のユーザに映像を提供する場合にも、当該複数のユーザに対して高品質の映像を提供することが可能となる。
【００２１】
上記複数の表示領域は、上記表示面における位置、及び表示する映像の上記品質が上記視線位置によって変化しない第３表示領域を更に含んでもよい。
上記映像表示部は、上記第３表示領域に文字情報を表示してもよい。
この構成では、表示面においてユーザが視線を向けやすい第３表示領域に常に高品質の映像を表示することや、表示面においてユーザが視線を向けにくい第３表示領域に常に低品質の映像を表示することが可能である。
【００２２】
上記映像表示装置は、上記視線検出装置として構成される視線検出部を更に具備してもよい。
この構成では、別途視線検出装置を用意することなく、上記の効果を得ることができる。
【００２３】
本技術の一形態に係る情報処理装置は、受信部と、映像データ生成部と、送信部とを具備する。
上記情報処理装置は、ユーザに提供する映像を表示面に表示する映像表示装置と通信可能に構成される。
上記受信部は、上記映像表示装置によって送信される転送要求を受信する。
上記映像データ生成部は、上記受信部によって受信される上記転送要求に応じて、複数の表示領域に区分される上記表示面に、上記複数の表示領域に対してそれぞれ決定される品質の映像を表示するための映像データを生成する。
上記送信部は、上記映像データ生成部によって生成される上記映像データを上記映像表示装置に転送する。
【００２４】
上記情報処理装置は、視線位置決定部と、表示領域決定部と、映像品質決定部とを更に具備してもよい。
上記視線位置決定部は、上記ユーザの視線の向きを検出可能に構成される視線検出装置による検出結果に基づき、上記表示面における上記ユーザの視線位置を決定する。
上記表示領域決定部は、上記表示面を、上記視線位置決定部によって決定される上記視線位置を包含する第１表示領域と、上記第１表示領域の外側に配置される第２表示領域とを含む上記複数の表示領域に区分する。
上記映像品質決定部は、上記表示領域決定部によって区分される上記複数の表示領域に表示する映像の上記品質を、上記第２表示領域のデータ転送レートが上記第１表示領域のデータ転送レートより低くなるように、それぞれ決定する。
【００２５】
本技術の一形態に係る映像表示システムは、映像表示装置と、情報処理装置とを具備する。
上記映像表示装置は、ユーザに提供する映像を表示面に表示する。
上記情報処理装置は、上記映像表示装置と通信可能に構成される。
上記映像表示装置は、表示領域決定部と、映像品質決定部と、第１送信部と、第１受信部と、映像生成部と、映像表示部とを有する。
上記視線位置決定部は、上記ユーザの視線の向きを検出可能に構成される視線検出装置による検出結果に基づき、上記表示面における上記ユーザの視線位置を決定する。
上記表示領域決定部は、上記表示面を、上記視線位置決定部によって決定される上記視線位置を包含する第１表示領域と、上記第１表示領域の外側に配置される第２表示領域とを含む複数の表示領域に区分する。
上記映像品質決定部は、上記表示領域決定部によって区分される上記複数の表示領域に表示する映像の品質を、上記第２表示領域のデータ転送レートが上記第１表示領域のデータ転送レートより低くなるように、それぞれ決定する。
上記第１送信部は、上記情報処理装置に対して、上記映像品質決定部によって決定される上記品質の映像を上記複数の表示領域にそれぞれ表示するための映像データの転送要求を送信する。
上記第１受信部は、上記情報処理装置によって転送される上記映像データを受信する。
上記映像生成部は、上記第１受信部によって受信される上記映像データから、上記表示面に表示される映像を生成する。
上記映像表示部は、上記映像生成部によって生成される映像を上記表示面に表示する。
上記情報処理装置は、第２受信部と、映像データ生成部と、第２送信部とを有する。
上記第２受信部は、上記第１送信部によって送信される転送要求を受信する。
上記映像データ生成部は、上記第２受信部によって受信される上記転送要求に応じて、上記映像データを生成する。
上記第２送信部は、上記映像データ生成部によって生成される上記映像データを上記映像表示装置に転送する。
【発明の効果】
【００２６】
以上のように、本技術によれば、ユーザに高品質な映像を提供可能であり、かつ、映像のデータ転送レートを低減可能な映像表示装置、情報処理装置、及び映像表示システムを提供することができる。
なお、ここに記載された効果は必ずしも限定されるものではなく、本開示中に記載されたいずれかの効果であってもよい。
【図面の簡単な説明】
【００２７】
【図１】本技術の第１の実施形態に係る映像表示システムの概略構成図である。
【図２】上記映像表示システムの映像表示装置の使用状態を示す模式図である。
【図３】上記映像表示システムの動作を示すフローチャートである。
【図４】上記映像表示装置の使用状態を示す模式図である。
【図５】上記映像表示装置の表示面の一例を示す図である。
【図６】上記映像表示装置における視野領域の区分を示す図である。
【図７】上記映像表示装置の使用状態を示す模式図である。
【図８】上記映像表示装置の表示面の一例を示す図である。
【図９】上記映像表示装置の使用状態を示す模式図である。
【図１０】上記映像表示装置の表示面の一例を示す図である。
【図１１】上記映像表示装置の使用状態を示す模式図である。
【図１２】上記映像表示装置の表示面の一例を示す図である。
【図１３】本技術の第２の実施形態に係る映像表示装置の使用状態を示す模式図である。
【図１４】上記映像表示装置の表示面の一例を示す図である。
【図１５】本技術の第３の実施形態に係る映像表示装置の使用状態を示す模式図である。
【図１６】上記映像表示装置の表示面の一例を示す図である。
【図１７】上記映像表示装置の使用状態を示す模式図である。
【図１８】上記映像表示装置の表示面の一例を示す図である。
【図１９】本技術の第４の実施形態に係る表示面の一例を示す図である。
【図２０】本技術のその他の実施形態に係る映像表示システムの概略構成図である。
【発明を実施するための形態】
【００２８】
以下、本技術に係る実施形態を、図面を参照しながら説明する。
図面には、適宜相互に直交するＸ軸、Ｙ軸、及びＺ軸が示されている。Ｘ軸、Ｙ軸、及びＺ軸は全図において共通である。
【００２９】
［第１の実施形態］
＜概略構成＞
まず、本技術の第１の実施形態に係る概略構成について説明する。
【００３０】
（映像表示システム１）
図１は本実施形態に係る映像表示システム１の概略構成図である。映像表示システム１は、映像表示装置１００とサーバ２００とを具備する。映像表示システム１は、サーバ２００によって転送される映像を映像表示装置１００によって表示可能なように構成されている。
【００３１】
（映像表示装置１００）
図２は映像表示装置１００の使用状態を示す模式図である。映像表示装置１００は、本体部１１０と、ユーザ検出部１２０と、映像表示部１３０とを有する。
【００３２】
映像表示部１３０は、Ｘ軸方向及びＹ軸方向に延びる矩形状であり、例えば屋内の壁に設置される。映像表示部１３０は表示面１３１を有する。映像表示部１３０は、表示面１３１に映像を表示することにより、表示面１３１にＺ軸方向に対向するユーザＵに映像を提供する。
【００３３】
映像表示部１３０は、例えば、フラットパネルディスプレイなどの据置型の機器として構成される。また、映像表示部１３０は、タブレット端末などの可搬型の機器として構成されていてもよい。更に、映像表示部１３０は、表示面１３１に映像を表示可能であれば、特定の構成に限定されない。表示面１３１は、映像表示部１３０とは別体として構成されるスクリーンや壁面などであってもよい。この場合、映像表示部１３０は、スクリーンや壁面などに映像を投写可能なプロジェクタとして構成されていてもよい。
【００３４】
ユーザ検出部１２０は、映像表示部１３０のＹ軸方向上部に設けられている。ユーザ検出部１２０は、表示面１３１からユーザＵまでの距離を検出可能な距離検出部と、ユーザＵの視線の向きを検出可能な視線検出部とを有する。距離検出部と視線検出部とは、一体の構成であっても、別構成であってもよい。ユーザ検出部１２０の構成は、表示面１３１からユーザＵまでの距離と、ユーザＵの視線の向きとを検出可能であれば特に限定されない。
【００３５】
ユーザ検出部１２０は、例えば、ユーザＵを撮像する２つの撮像部１２１を有していてもよい。このようなユーザ検出部１２０は、２つの撮像部１２１の視差により表示面１３１からユーザＵまでの距離を検出することができる。また、ユーザ検出部１２０は、各撮像部１２１により撮像されたユーザＵの画像から、ユーザＵついての情報（位置、姿勢、顔の角度、目の向きなど）を読み取り、これらの情報からユーザＵの視線の向きを算出することができる。
【００３６】
ユーザ検出部１２０の位置は、映像表示部１３０のＹ軸方向上部に限定されず、映像表示部１３０のＺ軸方向下部や映像表示部１３０のＸ軸方向側部であってもよい。また、ユーザ検出部１２０は、異なる位置に配置される複数の構成を有していてもよい。例えば、ユーザ検出部１２０は、映像表示部１３０のＹ軸方向上部の２隅にそれぞれ配置される２つの撮像部１２１を有していてもよい。
【００３７】
本体部１１０は、映像表示部１３０のＹ軸方向下部に設けられている。本体部１１０は、ユーザ検出部１２０及び映像表示部１３０に有線又は無線にて接続されている。本体部１１０は、視線位置決定部１１１と、表示領域決定部１１２と、映像品質決定部１１３と、送信部１１４と、受信部１１５と、映像生成部１１６とを有する。
【００３８】
送信部１１４及び受信部１１５は、例えば、３Ｇ（Ｔｈｉｒｄ  Ｇｅｎｅｒａｔｉｏｎ）やＬＴＥ（Ｌｏｎｇ  Ｔｅｒｍ  Ｅｖｏｌｕｔｉｏｎ）等の広域通信システムや、ＷｉＦｉ等の無線ＬＡＮ（Ｌｏｃａｌ  Ａｒｅａ  Ｎｅｔｗｏｒｋ）通信システムや、Ｂｌｕｅｔｏｏｔｈ（登録商標）や赤外線等の短距離無線通信システムなどにより通信可能に構成される。また、送信部１１４及び受信部１１５は、光通信などの有線通信により通信可能に構成されていてもよい。
【００３９】
本体部１１０の視線位置決定部１１１、表示領域決定部１１２、映像品質決定部１１３、及び映像生成部１１６については後述する。
【００４０】
本体部１１０の位置は、映像表示部１３０のＹ軸方向下部に限定されず、映像表示部１３０のＺ軸方向上部や映像表示部１３０のＸ軸方向側部であってもよい。また、本体部１１０は、各構成ごとに異なる位置に配置されていてもよい。
【００４１】
（サーバ２００）
サーバ２００は、映像表示装置１００によって表示面１３１に表示される映像を生成するための映像データを映像表示装置１００に転送可能な情報処理装置として構成される。サーバ２００は、本体部２１０と、映像データベース２２０とを有する。
【００４２】
本体部２１０は、受信部２１１と、映像データ生成部２１２と、送信部２１３とを有する。受信部２１１及び送信部２１３は、映像表示装置１００の送信部１１４及び受信部１１５と通信可能に構成されている。本体部２１０の映像データ生成部２１２については後述する。
【００４３】
映像データベース２２０は、同一の内容で異なる品質の映像を生成可能な複数の映像データを本体部２１０に提供可能に構成されている。映像の品質はデータ転送レートに反映され、映像のデータ転送レートは解像度及びフレームレートによって決定する。より詳細には、高解像度の映像ほど、また高フレームレートの映像ほど、高品質になるとともに高データ転送レートになる。
【００４４】
映像データベース２２０は、本体部２１０に提供可能な映像データのすべてを予め保持していてもよく、本体部２１０に提供可能な映像データの一部を予め保持し、当該映像データから様々なデータ転送レートの映像データを生成可能に構成されていてもよい。
【００４５】
例えば、映像データベース２２０は、各映像について、フレームレートがいずれも６０ｆｐｓであり、解像度がそれぞれ、８Ｋ（７６８０×４３２０）、４Ｋ（３８４０×２１６０）、１０８０ｐ（１９２０×１０８０）、７２０ｐ（１２８０×７２０）、４８０ｐ（７２０×４８０）、３６０ｐ（４８０×３６０）である映像データを保持する。
【００４６】
この場合、映像データベース２２０は、各解像度の映像データから、フレームレートが異なる映像データ（例えば、フレームレートが３０ｆｐｓや１５ｆｐｓである映像データなど）を生成可能に構成されていてもよい。
【００４７】
また、映像データベース２２０は、例えば、８Ｋの映像データのみを保持し、８Ｋの映像データから、解像度が異なる映像データ（例えば、解像度が４Ｋ、１０８０ｐ、７２０ｐ、４８０ｐ、３６０ｐである映像データなど）を生成可能に構成されていてもよい。
【００４８】
更に、映像データベース２２０は、撮像装置などにより撮像される映像からリアルタイムで品質の異なる複数の映像データを生成可能に構成されていてもよい。これにより、サーバ２００は、映像表示装置１００に対して、撮像装置などにより撮像される映像をリアルタイム配信することが可能となる。
【００４９】
また、映像データベース２２０は、映像に対応する音声データも本体部２１０に提供可能に構成されている。音声データは、例えば、５．１ｃｈ音声データとすることができる。
【００５０】
本実施形態に係る映像データベース２２０はサーバ２００に含まれているが、映像データベース２２０は、サーバ２００とは別構成であってもよい。
【００５１】
＜映像表示システム１の動作＞
図３は、本実施形態に係る映像表示システム１の動作を示すフローチャートである。以下、図３に沿って、映像表示システム１の動作について説明する。
【００５２】
（ステップＳ０１：ユーザを検出）
ステップＳ０１は映像表示装置１００のユーザ検出部１２０によって実行される。
図４は映像表示装置１００の使用状態を示す模式図である。ユーザ検出部１２０は、表示面１３１からユーザＵまでの距離と、破線矢印で示されるユーザＵの視線の向きとを検出する。
【００５３】
（ステップＳ０２：ユーザの視線位置を決定）
ステップＳ０２は映像表示装置１００の視線位置決定部１１１によって実行される。
視線位置決定部１１１は、ユーザ検出部１２０によって検出される、表示面１３１からユーザＵまでの距離と、ユーザＵの視線の向きとにより、表示面１３１とユーザＵの視線との交点である視線位置Ｐ（図４参照）を算出する。
【００５４】
（ステップＳ０３：表示面を複数の表示領域に区分）
ステップＳ０３は映像表示装置１００の表示領域決定部１１２によって実行される。
表示領域決定部１１２は、ユーザＵの情報識別性に応じて、表示面１３１を複数の表示領域に区分する。
【００５５】
図５は表示領域決定部１１２によって複数の表示領域に区分された表示面１３１の一例を示している。図５（Ａ）ではユーザＵの視線位置Ｐが表示面１３１の中央部にあり、図５（Ｂ）ではユーザＵの視線位置Ｐが表示面１３１の左上部にある。
【００５６】
表示面１３１は、層状に配置された５つの表示領域１３１ａ，１３１ｂ，１３１ｃ，１３１ｄ，１３１ｅに区分されている。表示領域１３１ａは、ユーザＵの視線位置Ｐを含み、ユーザＵの視野の中央領域を構成する。表示領域１３１ｂは表示領域１３１ａの外側に隣接し、表示領域１３１ｃは表示領域１３１ｂの外側に隣接し、表示領域１３１ｄは表示領域１３１ｃの外側に隣接し、表示領域１３１ｅは表示領域１３１ｄの外側に隣接する。
【００５７】
図５（Ａ）及び図５（Ｂ）に示すように、ユーザＵの視線位置Ｐが変化すると、各表示領域１３１ａ，１３１ｂ，１３１ｃ，１３１ｄ，１３１ｅの位置も変化する。これにより、ユーザＵの視野に占める各表示領域１３１ａ，１３１ｂ，１３１ｃ，１３１ｄ，１３１ｅの位置が常に一定となる。
【００５８】
表示領域決定部１１２が表示面１３１を複数の表示領域に区分する具体的な方法については後述する。
【００５９】
（ステップＳ０４：各表示領域における映像の品質を決定）
ステップＳ０４は映像表示装置１００の映像品質決定部１１３によって実行される。
映像表示装置１００では、ステップＳ０３において表示領域決定部１１２によって決定される各表示領域に異なる品質の映像が表示される。映像品質決定部１１３は、各表示領域に表示する映像の品質を決定する。
【００６０】
ユーザＵの情報識別性は、ユーザＵの視野の中央領域にある視線位置Ｐ付近で最も高く、視線位置Ｐから離れるにつれて低くなってゆく。つまり、ユーザＵは、視野の中央領域において映像を最も詳細に認識でき、視線位置Ｐから離れるにつれて映像の細部を認識できなくなる。したがって、ユーザＵは、視線位置Ｐ付近では映像の品質の低下を敏感に認識するものの、視線位置Ｐから離れるにつれて映像の品質の低下を認識しにくくなる。
【００６１】
映像品質決定部１１３は、ユーザＵが映像の品質の低下を最も認識しやすい視線位置Ｐを包含する表示領域に表示する映像の品質を最も高くする。そして、映像品質決定部１１３は、ユーザＵの視線位置Ｐから遠い表示領域ほど、表示する映像の品質を低くする。つまり、映像品質決定部１１３は、ユーザＵが映像の品質の低下を認識しないように、視線位置Ｐを包含する表示領域以外の各表示領域に表示する映像の品質を低く設定する。
【００６２】
このように、本実施形態では、視線位置Ｐを包含する表示領域以外の各表示領域における映像の品質の低下によって、表示面１３１に表示する映像のデータ転送レートが低減されるものの、ユーザＵが認識する映像の品質が損なわれない。
【００６３】
例えば、図５に示す場合において、映像品質決定部１１３は、表示領域１３１ａに表示する映像の品質を最も高くする。そして、映像品質決定部１１３は、表示領域１３１ａ，１３１ｂ，１３１ｃ，１３１ｄ，１３１ｅの順番でデータ転送レートが低くなるように、表示領域１３１ｂ，１３１ｃ，１３１ｄ，１３１ｅに表示する映像の品質を決定する。
【００６４】
例えば、映像品質決定部１１３は、表示領域１３１ａ，１３１ｂ，１３１ｃ，１３１ｄ，１３１ｅの品質１，２，３，４，５を以下のように決定する。
・表示領域１３１ａ：品質１（解像度：８Ｋ，データ転送レート：８００，０００ｋｂｐｓ）
・表示領域１３１ｂ：品質２（解像度：４Ｋ，データ転送レート：２００，０００ｋｂｐｓ）
・表示領域１３１ｃ：品質３（解像度：１０８０ｐ，データ転送レート：５０，０００ｋｂｐｓ）
・表示領域１３１ｄ：品質４（解像度：７２０ｐ，データ転送レート：３０，０００ｋｂｐｓ）
・表示領域１３１ｅ：品質５（解像度：４８０ｐ，データ転送レート：１５，０００ｋｂｐｓ）
【００６５】
映像の品質は、解像度、フレームレート、及びデータ転送レートのうちの少なくとも二つによって規定することができ、上記の例における解像度及びデータ転送レートの組み合わせ以外に、解像度及びフレームレートの組み合わせや、フレームレート及びデータ転送の組み合わせによっても規定することができる。
【００６６】
（ステップＳ０５：転送要求を送信）
ステップＳ０５は映像表示装置１００の送信部１１４によって実行される。
送信部１１４は、表示面１３１の各表示領域に映像を表示するための映像データの転送を要求するための信号である転送要求をサーバ２００に送信する。転送要求には、表示領域決定部１１２によって決定される各表示領域の情報や、映像品質決定部１１３によって決定される各表示領域の映像品質の情報などが含まれる。
【００６７】
映像表示装置１００では、ステップＳ０５の後にステップＳ０１に戻り、ステップＳ０１〜Ｓ０５の処理を繰り返す。
【００６８】
（ステップＳ０６：転送要求を受信）
ステップＳ０６はサーバ２００の受信部２１１によって実行される。
受信部２１１は、映像表示装置１００の送信部１１４によって送信される転送要求を受信する。
【００６９】
（ステップＳ０７：映像データを生成）
ステップＳ０７はサーバ２００の映像データ生成部２１２によって実行される。
映像データ生成部２１２は、受信部２１１によって受信された転送要求に応じて、表示領域決定部１１２によって決定された各表示領域に、映像品質決定部１１３によって決定された映像品質の映像を表示するための映像データを生成する。
【００７０】
具体的に、映像データ生成部２１２は、各表示領域ごとの映像データを映像データベース２２０からそれぞれ取得し、映像データベース２２０から取得した映像データを合成して１つの映像データを生成する。
【００７１】
映像データの合成の方法は、特に限定されない。例えば、映像データ生成部２１２は、映像表示装置１００が高解像度の映像を優先して表示面１３１に表示することができるように、すべての映像データを解像度が高い順番に並べて１つの映像データを生成することができる。また、映像データ生成部２１２は、映像表示装置１００が映像を表示面１３１の左上部から順番に表示することができるように、すべての映像データを表示面１３１の左上部から順番に並べて１つの映像データを生成することもできる。
【００７２】
（ステップＳ０８：映像データを送信）
ステップＳ０６はサーバ２００の送信部２１３によって実行される。
送信部２１３は、映像データ生成部２１２によって生成された映像データを映像表示装置１００の受信部１１５に転送する。
【００７３】
本実施形態では、上記のようにユーザＵの視線位置Ｐを包含する表示領域以外の表示領域に表示する映像を低品質とすることにより、映像データ生成部２１２によって生成される映像データのデータ転送レートが低減されている。したがって、サーバ２００の送信部２１３は映像表示装置１００の受信部１１５に対して良好に映像データを転送し続けることができるため、映像表示装置１００が表示面１３１に表示する映像に遅れやコマ落ちが発生することを防止することができる。
【００７４】
サーバ２００では、ステップＳ０８の後にステップＳ０６に戻り、ステップＳ０６〜Ｓ０８の処理を繰り返す。
【００７５】
（ステップＳ０９：映像データを受信）
ステップＳ０９は映像表示装置１００の受信部１１５によって実行される。
受信部１１５は、サーバ２００の送信部２１３によって転送された映像データを受信する。
【００７６】
（ステップＳ１０：映像データから映像を生成）
ステップＳ１０は映像表示装置１００の映像生成部１１６によって実行される。
映像生成部１１６は、受信部１１５によって受信された映像データから映像を生成する。具体的に、映像生成部１１６は、映像データをデコードする。
【００７７】
映像生成部１１６は、デコードした映像に対して所定の処理を加えるように構成されていてもよい。例えば、映像生成部１１６は、表示面１３１における表示領域の境界部分をぼかして目立たなくする処理を加えることができる。
【００７８】
（ステップＳ１１：表示面に映像を表示）
ステップＳ１１は映像表示装置１００の映像表示部１３０によって実行される。
映像表示部１３０は、映像生成部１１６によって生成された映像を表示面１３１に表示する。
【００７９】
映像表示部１３０は、映像に対して所定の処理を加えるように構成されていてもよい。例えば、映像表示部１３０は、図５におけるユーザＵの情報識別性が低い表示領域１３１ｄ，１３１ｅにおいて、映像における変化が大きい対象物（移動物など）に対してエッジ強化処理を行うことができる。また、映像表示部１３０は、ユーザＵの情報識別性が光の強弱程度である表示領域１３１ｅにおいて、映像における変化が小さい部分の輝度を低下させることもできる。
【００８０】
映像表示装置１００では、ステップＳ１１の後にステップＳ０９に戻り、ステップＳ０９〜Ｓ１１の処理を繰り返す。
【００８１】
＜複数の表示領域の区分方法＞
図３のステップＳ０３において、映像表示装置１００の表示領域決定部１１２によって表示面１３１を複数の表示領域に区分するための具体的な方法について説明する。
【００８２】
一般的に、人間の視野は、人間の目の情報識別性に基づいて、弁別視野、有効視野、安定注視野、誘導視野、補助視野に区分される。
【００８３】
弁別視野は、人間の視野の中央領域にあり、視力や色の弁別などの視機能が最も良好に発揮される領域である。
有効視野は、弁別視野の外側に隣接し、眼球運動だけで対象を捉えられ、ノイズの中から目的とする対象を受容できる領域である。
安定注視野は、有効視野の外側に隣接し、頭部の運動を伴って無理なく対象を注視できる領域である。
誘導視野は、安定注視野の外側に隣接し、呈示された対象の存在のみ判定でき、人間の空間座標感覚に影響を与える領域である。
補助視野は、誘導視野の外側に隣接し、呈示された対象への知覚は極度に低下し、強い刺激などに注視動作を誘発させる程度の働きをする領域である。
【００８４】
本実施形態では、上記の人間の視野の区分に倣って、ユーザＵの視野を、図６に示すように、弁別視野に対応する視野領域Ａ１と、有効視野に対応する視野領域Ａ２と、安定注視野に対応する視野領域Ａ３と、誘導視野に対応する視野領域Ａ４と、補助視野に対応する視野領域Ａ５とに区分する。
【００８５】
上記の人間の視野の区分における各視野の輪郭は楕円のような曲線で規定されるが、本実施形態では、モデルの単純化のため、各視野領域Ａ１，Ａ２，Ａ３，Ａ４，Ａ５の形状が正方形であるものとした。しかし、各視野領域Ａ１，Ａ２，Ａ３，Ａ４，Ａ５の形状は、特に限定されず、円形や楕円形や長方形であってもよい。
【００８６】
具体的に、本実施形態に係る各視野領域Ａ１，Ａ２，Ａ３，Ａ４，Ａ５を、例えば、ユーザＵの視線に対する水平方向及び垂直方向の角度を用いて以下のように定義することができる。
【００８７】
・視野領域Ａ１：〜５°の領域
・視野領域Ａ２：５°〜３０°の領域
・視野領域Ａ３：３０°〜６０°の領域
・視野領域Ａ４：６０°〜８０°の領域
・視野領域Ａ５：８０°〜の領域
【００８８】
本実施形態では、各視野領域Ａ１，Ａ２，Ａ３，Ａ４，Ａ５に基づいて表示面１３１を複数の表示領域に区分する。つまり、表示面１３１のうち、視野領域Ａ１にある領域を表示領域１３１ａとし、視野領域Ａ２にある領域を表示領域１３１ｂとし、視野領域Ａ３にある領域を表示領域１３１ｃとし、視野領域Ａ４にある領域を表示領域１３１ｄとし、視野領域Ａ５にある領域を表示領域１３１ｅとする。
【００８９】
このように、各視野領域Ａ１，Ａ２，Ａ３，Ａ４，Ａ５が、ユーザＵの視線に対する水平方向及び垂直方向の角度により定義される場合、各表示領域１３１ａ，１３１ｂ，１３１ｃ，１３１ｄ，１３１ｅのサイズは、ユーザＵの表示面１３１からの距離に依存する。つまり、ユーザＵの表示面１３１からの距離が近いほど各表示領域１３１ａ，１３１ｂ，１３１ｃ，１３１ｄ，１３１ｅが小さくなる。これにより、ユーザＵの視界に占める各表示領域１３１ａ，１３１ｂ，１３１ｃ，１３１ｄ，１３１ｅのサイズが一定となる。
【００９０】
ここで、表示面１３１が８０インチ（アスペクト比１６：９）である場合について説明する。つまり、表示面１３１のサイズは縦９９７ｍｍ横１７７２ｍｍである。なお、ユーザＵの視線位置Ｐは表示面１３１の中央部（表示面１３１の対角線の交点）にあるものとする。
【００９１】
図７及び図８は、表示面１３１からユーザＵまでの距離が３７９０ｍｍの場合における表示面１３１の区分を示している。この場合、視野領域Ａ１のサイズは縦３３０ｍｍ横３３０ｍｍであり、視野領域Ａ２のサイズは縦２０３ｍｍ横２０３ｍｍである。
【００９２】
視野領域Ａ２のサイズが表示面１３１のサイズを超えているため、表示面１３１は視野領域Ａ１及び視野領域Ａ２に収まる。この場合、図７及び図８に示すように、表示面１３１は、表示領域１３１ａ及び表示領域１３１ｂに区分される。
【００９３】
これにより、例えば、表示領域１３１ａに上記の品質１の映像を表示し、表示領域１３１ｂに上記の品質２の映像を表示する場合、表示面１３１全面に上記の品質１の映像を表示する場合に比べて、映像のデータ転送レートが７０％程度低減される。
【００９４】
図９及び図１０は、表示面１３１からユーザＵまでの距離が２０００ｍｍの場合における表示面１３１の区分を示している。この場合、視野領域Ａ１のサイズは縦１９０ｍｍ横１９０ｍｍであり、視野領域Ａ２のサイズは縦１０７０ｍｍ横１０７０ｍｍであり、視野領域Ａ３のサイズは縦２３００ｍｍ横２３００ｍｍである。
【００９５】
視野領域Ａ３のサイズが表示面１３１のサイズを超えているため、表示面１３１は視野領域Ａ１、視野領域Ａ２、及び視野領域Ａ３に収まる。この場合、図９及び図１０に示すように、表示面１３１は、表示領域１３１ａ、表示領域１３１ｂ、及び表示領域１３１ｃに区分される。
【００９６】
これにより、例えば、表示領域１３１ａに上記の品質１の映像を表示し、表示領域１３１ｂに上記の品質２の映像を表示し、表示領域１３１ｃに上記の品質３の映像を表示する場合、表示面１３１全面に上記の品質１の映像を表示する場合に比べて、映像のデータ転送レートが７７％程度低減される。
【００９７】
図１１及び図１２は、表示面１３１からユーザＵまでの距離が７００ｍｍの場合における表示面１３１の区分を示している。この場合、視野領域Ａ１のサイズは縦６０ｍｍ横６０ｍｍであり、視野領域Ａ２のサイズは縦３８０ｍｍ横３８０ｍｍであり、視野領域Ａ３のサイズは縦８１０ｍｍ横８１０ｍｍであり、視野領域Ａ４のサイズは縦１１７０ｍｍ横１１７０ｍｍである。
【００９８】
このとき、図１１及び図１２に示すように、表示面１３１は、表示領域１３１ａ、表示領域１３１ｂ、表示領域１３１ｃ、表示領域１３１ｄ、表示領域１３１ｅに区分される。
【００９９】
これにより、例えば、表示領域１３１ａに上記の品質１の映像を表示し、表示領域１３１ｂに上記の品質２の映像を表示し、表示領域１３１ｃに上記の品質３の映像を表示し、表示領域１３１ｄに上記の品質４の映像を表示し、表示領域１３１ｅに上記の品質５の映像を表示する場合、表示面１３１全面に上記の品質１の映像を表示する場合に比べて、映像のデータ転送レートが９０％程度低減される。
【０１００】
以上述べたように、本実施形態に係る映像表示システム１では、ユーザＵに高品質な映像を提供可能であり、かつ、映像のデータ転送レートを大幅に低減可能である。
【０１０１】
なお、表示領域決定部１１２による表示面１３１を複数の表示領域に区分する方法は上記に限定されない。本技術において上記効果を得るためには、表示面１３１が、ユーザＵの視線位置Ｐを包含する第１表示領域（例えば、図５における表示領域１３１ａ）と、第１表示領域よりも低品質の映像が表示される少なくとも１つの第２表示領域（例えば、図５における表示領域１３１ｂ，１３１ｃ，１３１ｄ，１３１ｅのうちの少なくとも１つ）とを有していれば充分である。
【０１０２】
ただし、上記実施形態のように、本技術では、表示面１３１が、複数の第２表示領域（例えば、図５における表示領域１３１ｂ，１３１ｃ，１３１ｄ，１３１ｅ）を有し、第１表示領域（例えば、図５における表示領域１３１ａ）から遠い第２表示領域ほど低品質の映像を表示する構成を採用することによって、映像のデータ転送レートの大幅な低減が可能である。
【０１０３】
また、映像表示装置１００のユーザ検出部１２０における表示面１３１からユーザＵまでの距離を検出可能な距離検出部の構成は必須ではない。つまり、表示領域決定部１１２は、表示面１３１からユーザＵまでの距離によらず、視線位置決定部１１１が決定したユーザＵの視線位置Ｐのみに基づいて表示面１３１を複数の表示領域に区分することも可能である。
【０１０４】
例えば、表示領域決定部１１２は、表示面１３１のサイズを基準として、表示領域１３１ａ，１３１ｂ，１３１ｃ，１３１ｄ，１３１ｅの形状が予め決定されていてもよい。この場合、例えば、表示領域１３１ａの縦及び横のサイズを表示面１３１の５％以内とし、表示領域１３１ｂの縦及び横のサイズを表示面１３１の１５％以内とし、表示領域１３１ｃの縦及び横のサイズを表示面１３１の３０％以内とし、表示領域１３１ｄの縦及び横のサイズを表示面１３１の６０％以内とし、表示領域１３１ｅを表示領域１３１ｄより外側の領域とすることができる。
【０１０５】
［第２の実施形態］
本技術の第２の実施形態は、表示領域決定部１１２による各表示領域の区分方法における以下に示す構成のみが第１の実施形態とは異なる。
【０１０６】
図１３は本実施形態に係る映像表示装置１００の使用状態を示す模式図である。図１４は本実施形態に係る映像表示装置１００の表示面１３１の一例を示す図である。
【０１０７】
図１３は、ユーザＵが視線を右から左へ移しており、これに伴いユーザＵの視線位置Ｐが表示面１３１上を右から左へ移動している状態を示している。本実施形態では、このようにユーザＵの視線位置Ｐが移動している場合に、表示領域決定部１１２が各表示領域を視線位置Ｐの移動方向に拡大させる。
【０１０８】
つまり、図１４に示すように、表示領域決定部１１２は、表示面１３１における各表示領域１３１ａ，１３１ｂ，１３１ｃをユーザＵの視線位置Ｐの移動方向である左方向に拡張する。
【０１０９】
この構成により、例えば、ユーザＵの視線位置Ｐが速く移動している場合にも、表示領域１３１ａ，１３１ｂ，１３１ｃが先行して視線位置Ｐの移動方向に拡大するため、表示面１３１における表示領域１３１ａ，１３１ｂ，１３１ｃの変更が、ユーザＵの視線位置Ｐの移動に対して遅れることを防止することができる。このため、本実施形態では、ユーザＵが認識する映像の品質が損なわれにくい。
【０１１０】
なお、ユーザＵの視線位置Ｐの移動によって、すべての表示領域１３１ａ，１３１ｂ，１３１ｃを拡張する構成は必須ではない。ただし、少なくとも、ユーザＵが映像の品質を最も認識しやすい表示領域１３１ａは、ユーザＵの視線位置Ｐの移動によって拡張されるように構成されていることが好ましい。
【０１１１】
［第３の実施形態］
本技術の第３の実施形態は、表示領域決定部１１２による各表示領域の区分方法における以下に示す構成のみが第１の実施形態とは異なる。
【０１１２】
図１５及び図１７は本実施形態に係る映像表示装置１００の使用状態を示す模式図である。図１６及び図１８は本実施形態に係る映像表示装置１００の表示面１３１の一例を示す図である。
【０１１３】
図１５及び図１７は、映像表示装置１００が、表示面１３１に映像を表示することにより、２人のユーザＵ１，Ｕ２に映像を提供している状態を示している。本実施形態では、２人のユーザＵ１，Ｕ２に対応する表示領域の区分がなされる。
【０１１４】
まず、図１６及び図１８の上図に示すように、表示領域決定部１１２は、各ユーザＵ１，Ｕ２の視線位置Ｐ１，Ｐ２に基づいてそれぞれ表示領域を決定する。そして、図１６及び図１８の下図に示すように、表示領域決定部１１２は、ユーザＵ１についての表示領域と、ユーザＵ２についての表示領域との合成を行う。
【０１１５】
表示領域の合成方法は、特に限定されない。一例として、表示領域の合成では、２人のユーザＵ１，Ｕ２についての各表示領域の和集合が算出され、複数の表示領域が重複する部分には、表示する映像の品質が高い表示領域が優先して採用される。つまり、図１６及び図１７において、表示領域１３１ａ、表示領域１３１ｂ、表示領域１３１ｃ、表示領域１３１ｄの和集合が算出され、表示領域１３１ａ、表示領域１３１ｂ、表示領域１３１ｃ、表示領域１３１ｄが、この順番で低くなる優先順位で、表示面１３１に割り当てられる。
【０１１６】
この構成により、本実施形態では、２人のユーザＵ１，Ｕ２に対して高品質の映像を提供することができる。なお、同様の要領により、３人以上のユーザに対して高品質の映像を提供することができる。
【０１１７】
［第４の実施形態］
本技術の第４の実施形態は、表示領域決定部１１２による各表示領域の区分方法における以下に示す構成のみが第１の実施形態とは異なる。
【０１１８】
図１９は本実施形態に係る映像表示装置１００の表示面１３１の一例を示す図である。表示面１３１には、表示領域１３１ｓが含まれる。表示領域１３１ｓは、表示面１３１における位置、及び表示する映像の品質がユーザＵの視線位置Ｐに関わらず一定となるように構成されている。
【０１１９】
図１９に示す表示領域１３１ｓは、例えば字幕などの文字情報を含む映像が表示される領域など、ユーザＵの視線が向きやすい表示領域として構成される。本実施形態では、表示領域１３１ｓに常に高品質の映像を表示することにより、ユーザＵがいつ表示領域１３１ｓに視線を向けても、ユーザＵが高品質の映像を認識することができるようにする。
【０１２０】
なお、表示領域１３１ｓの位置は、特に限定されず、例えば、時刻表示を行う表示面１３１の右上部であっても、ニュース速報を表示する表示面１３１の上部であってもよい。
【０１２１】
また、上記とは反対に、表示領域１３１ｓは、例えば表示面１３１の四隅など、ユーザＵの視線が向きやすい表示領域として構成されていてもよい。この場合、表示領域１３１ｓに常に低品質の映像を表示することにより、映像のデータ転送レートを更に低減することが可能である。
【０１２２】
［その他の実施形態］
以上、本技術の実施形態について説明したが、本技術は上述の実施形態にのみ限定されるものではなく、本技術の要旨を逸脱しない範囲内において種々変更を加え得ることは勿論である。
【０１２３】
例えば、映像表示システム１は、上記実施形態では図３に係るステップＳ０２〜Ｓ０４が映像表示装置１００によって実行されるように構成されているが、図２０に示すように、ステップＳ０２〜Ｓ０４に対応するステップＳ０２'〜Ｓ０４'がサーバ２００によって実行されるように構成されていてもよい。この場合、サーバ２００には、上記の映像表示装置１００と同様の、視線位置決定部、表示領域決定部、及び映像品質決定部が設けられる。
【０１２４】
図２０に示すステップＳ０５'において映像表示装置１００から送信され、ステップＳ０６'においてサーバ２００によって受信される転送要求には、例えば、表示面１３１のサイズの情報や、ユーザ検出部１２０による検出結果（表示面１３１からユーザＵまでの距離、ユーザＵの視線の向きなど）の情報が含まれる。これらの情報により、サーバ２００によってステップＳ０２'〜Ｓ０４'を実行することが可能となる。
【０１２５】
なお、本技術は以下のような構成もとることができる。
（１）
ユーザに提供する映像を表示面に表示する映像表示装置であって、
前記ユーザの視線の向きを検出可能に構成される視線検出装置による検出結果に基づき、前記表示面における前記ユーザの視線位置を決定する視線位置決定部と、
前記表示面を、前記視線位置決定部によって決定される前記視線位置を包含する第１表示領域と、前記第１表示領域の外側に配置される第２表示領域とを含む複数の表示領域に区分する表示領域決定部と、
前記表示領域決定部によって区分される前記複数の表示領域に表示する映像の品質を、前記第２表示領域のデータ転送レートが前記第１表示領域のデータ転送レートより低くなるように、それぞれ決定する映像品質決定部と、
情報処理装置に対して、前記映像品質決定部によって決定される前記品質の映像を前記複数の表示領域にそれぞれ表示するための映像データの転送要求を送信する送信部と、
前記情報処理装置によって転送される前記映像データを受信する受信部と、
前記受信部によって受信される前記映像データから、前記表示面に表示される映像を生成する映像生成部と、
前記映像生成部によって生成される映像を前記表示面に表示する映像表示部と
を具備する映像表示装置。
（２）
上記（１）に記載の映像表示装置であって、
前記表示領域決定部は、前記ユーザと前記表示面と間の距離に基づき、前記表示面を前記複数の表示領域に区分する
映像表示装置。
（３）
上記（２）に記載の映像表示装置であって、
前記表示領域決定部は、前記距離が近いほど、前記第１表示領域を小さくする
映像表示装置。
（４）
上記（２）又は（３）に記載の映像表示装置であって、
前記距離を検出する距離検出部を更に具備する
映像表示装置。
（５）
上記（１）〜（４）のうちのいずれか１つに記載の映像表示装置であって、
前記映像品質決定部は、前記複数の表示領域に表示する映像の解像度とフレームレートとのうちの少なくとも一方を決定する
映像表示装置。
（６）
上記（１）〜（５）のうちのいずれか１つに記載の映像表示装置であって、
前記表示領域決定部は、前記表示面を、前記第１表示領域の外側に層状に配置される複数の第２表示領域を含む前記複数の表示領域に区分可能に構成され、
前記映像品質決定部は、前記複数の第２表示領域に表示する映像の前記品質を、前記第１表示領域から遠い前記複数の第２表示領域ほどデータ転送レートが低くなるように、それぞれ決定可能に構成される
映像表示装置。
（７）
上記（１）〜（６）のうちのいずれか１つに記載の映像表示装置であって、
前記表示面における前記視線位置の移動方向を決定する移動方向決定部を更に具備し、
前記表示領域決定部は、前記移動方向決定部によって決定される前記移動方向に向けて前記第１表示領域を拡大する
映像表示装置。
（８）
上記（１）〜（７）のうちのいずれか１つに記載の映像表示装置であって、
前記視線位置決定部は複数のユーザの前記視線位置を決定可能に構成され、
前記表示領域決定部は、前記複数のユーザにおけるそれぞれの前記第１表示領域の和集合として前記第１表示領域を決定する
映像表示装置。
（９）
上記（１）〜（８）のうちのいずれか１つに記載の映像表示装置であって、
前記複数の表示領域は、前記表示面における位置、及び表示する映像の前記品質が前記視線位置によって変化しない第３表示領域を更に含む
映像表示装置。
（１０）
上記（１）〜（９）のうちのいずれか１つに記載の映像表示装置であって、
前記映像表示部は、前記第３表示領域に文字情報を表示する
映像表示装置。
（１１）
上記（１）〜（１０）のうちのいずれか１つに記載の映像表示装置であって、
前記視線検出装置として構成される視線検出部を更に具備する
映像表示装置。
（１２）
ユーザに提供する映像を表示面に表示する映像表示装置と通信可能に構成される情報処理装置であって、
前記映像表示装置によって送信される転送要求を受信する受信部と、
前記受信部によって受信される前記転送要求に応じて、複数の表示領域に区分される前記表示面に、前記複数の表示領域に対してそれぞれ決定される品質の映像を表示するための映像データを生成する映像データ生成部と、
前記映像データ生成部によって生成される前記映像データを前記映像表示装置に転送する送信部と
を具備する情報処理装置。
（１３）
上記（１２）に記載の情報処理装置であって、
前記ユーザの視線の向きを検出可能に構成される視線検出装置による検出結果に基づき、前記表示面における前記ユーザの視線位置を決定する視線位置決定部と、
前記表示面を、前記視線位置決定部によって決定される前記視線位置を包含する第１表示領域と、前記第１表示領域の外側に配置される第２表示領域とを含む前記複数の表示領域に区分する表示領域決定部と、
前記表示領域決定部によって区分される前記複数の表示領域に表示する映像の前記品質を、前記第２表示領域のデータ転送レートが前記第１表示領域のデータ転送レートより低くなるように、それぞれ決定する映像品質決定部と
を更に具備する情報処理装置。
（１４）
ユーザに提供する映像を表示面に表示する映像表示装置と、前記映像表示装置と通信可能に構成される情報処理装置とを具備し、
前記映像表示装置は、
前記ユーザの視線の向きを検出可能に構成される視線検出装置による検出結果に基づき、前記表示面における前記ユーザの視線位置を決定する視線位置決定部と、
前記表示面を、前記視線位置決定部によって決定される前記視線位置を包含する第１表示領域と、前記第１表示領域の外側に配置される第２表示領域とを含む複数の表示領域に区分する表示領域決定部と、
前記表示領域決定部によって区分される前記複数の表示領域に表示する映像の品質を、前記第２表示領域のデータ転送レートが前記第１表示領域のデータ転送レートより低くなるように、それぞれ決定する映像品質決定部と、
前記情報処理装置に対して、前記映像品質決定部によって決定される前記品質の映像を前記複数の表示領域にそれぞれ表示するための映像データの転送要求を送信する第１送信部と、
前記情報処理装置によって転送される前記映像データを受信する第１受信部と、
前記第１受信部によって受信される前記映像データから、前記表示面に表示される映像を生成する映像生成部と、
前記映像生成部によって生成される映像を前記表示面に表示する映像表示部とを有し、
前記情報処理装置は、
前記第１送信部によって送信される転送要求を受信する第２受信部と、
前記第２受信部によって受信される前記転送要求に応じて、前記映像データを生成する映像データ生成部と、
前記映像データ生成部によって生成される前記映像データを前記映像表示装置に転送する第２送信部とを有する
映像表示システム。
【符号の説明】
【０１２６】
１…映像表示システム
１００…映像表示装置
１１０…本体部
１１１…視線位置決定部
１１２…表示領域決定部
１１３…映像品質決定部
１１４…送信部
１１５…受信部
１１６…映像生成部
１２０…ユーザ検出部
１３０…映像表示部
１３１…表示面
２００…サーバ（情報処理装置）
２１０…本体部
２１１…受信部
２１２…映像データ生成部
２１３…送信部
２２０…映像データベース
【図１】
2015222470.tif 000003
【図２】
2015222470.tif 000004
【図３】
2015222470.tif 000005
【図４】
2015222470.tif 000006
【図５】
2015222470.tif 000007
【図６】
2015222470.tif 000008
【図７】
2015222470.tif 000009
【図８】
2015222470.tif 000010
【図９】
2015222470.tif 000011
【図１０】
2015222470.tif 000012
【図１１】
2015222470.tif 000013
【図１２】
2015222470.tif 000014
【図１３】
2015222470.tif 000015
【図１４】
2015222470.tif 000016
【図１５】
2015222470.tif 000017
【図１６】
2015222470.tif 000018
【図１７】
2015222470.tif 000019
【図１８】
2015222470.tif 000020
【図１９】
2015222470.tif 000021
【図２０】
2015222470.tif 000022